(57)【要約】      （修正有）【課題】テーブルと並んでいる質量分析計に対して正確かつ再現可能なように、液体クロマトグラフィーシステム、キャピラリー電気泳動システムまたはイオン化モジュールなどの測定分析システムの高さを調整し、試料の分析／測定を実施できる昇降テーブルを提供する。【解決手段】車輪５を介してＸ軸およびＹ軸に沿って可動式であるともに、Ｚ軸に沿って電動で動くプログラム可能な昇降テーブル１であり、システム６は水平プレート２の上に重ねられ、電子制御される少なくとも１つの入れ子式ジャッキを備える可動支柱３によって垂直に移動して質量分析計７に正確に位置決めして結合できる。【選択図】図３
0003198085.tif 000002
【実用新案登録請求の範囲】
【請求項１】
車輪を介してＸ軸およびＹ軸に沿って可動式であるとともに、Ｚ軸に沿って電動で動くプログラム可能な昇降テーブルであって、前記テーブルは、質量分析計に連結するようになっている液体クロマトグラフィーシステム、キャピラリー電気泳動システムまたはイオン化モジュールなどの測定分析機器の支持・移動手段として備えられ、前記システムは、重ねられてよく、電子制御される少なくとも１つの入れ子式ジャッキを備える装置によって垂直に移動して前記システムを上昇または下降できるとともに、前記テーブルと並んでいる前記質量分析計に対して正確かつ再現可能なように前記システムの高さを調整できて試料の分析／測定を実施することを特徴とする、昇降テーブル。
【請求項２】
前記テーブルを前記Ｘ軸およびＹ軸に沿って動かす前記車輪は、回転式でロック可能であることを特徴とする、請求項１に記載の昇降テーブル。
【請求項３】
前記テーブルは、スライド板を備える、請求項１または２に記載の昇降テーブル。
【請求項４】
前記液体クロマトグラフィーシステム、キャピラリー電気泳動システムまたはイオン化モジュールに接続された前記昇降テーブルを制御して、請求項１〜３のうちいずれか一項に記載の質量分析計に対して垂直移動させて位置決めする方法であって、まず、前記質量分析計の前記イオン源の中心の高さが測定され、その後、ジャッキが電気電子的に制御されて、前記システムに備わるチューブ、キャピラリーまたはイオン源の中心の高さが前記質量分析計の前記イオン源の中心の高さに完全に一致するようになり、最終的には、前記様々なシステムに接続された前記テーブルは、前記チューブ、前記キャピラリーまたは前記イオン源が前記質量分析計の前記イオン源と接触するように前記質量分析計の方向へ移動する、方法。
【考案の詳細な説明】
【技術分野】
【０００１】
本考案は、測定分析機器の３軸に沿って支持・移動する手段として備えられたプログラム可能な電動昇降テーブル、および前記テーブルを制御して垂直移動させて位置決めする方法に関する。したがって、このテーブル上に置いた測定分析機器を３軸に沿って特に垂直に、極限の精度でプログラム可能なように、かつ前記テーブルと並んで位置している質量分析計に対して完全に再現可能なように移動させて、試料の分析／測定を実行することができる。
【背景技術】
【０００２】
この分野では、公知で現在まで極めて広く一般に使用されている技術は、簡易なテーブルを利用するものであり、このテーブル上に測定および／または分析材料が載せられ、このテーブルはほとんどの間固定されていた。手動、機械あるいは電動によって、テーブルを移動させることができ、テーブルのプレートを必要に応じてかつ寸法に応じて上昇または下降できる場合、移動、上昇または下降は、比較的不正確に操作され、死容積を実際に最適にできる可能性がなかった。これには、様々な測定または分析の容易で効果的な実施が妨げられるという特定数の重大な欠点が備わっている。したがって特に測定材料が、質量分析計に連結するようになっている液体クロマトグラフィーシステムまたはキャピラリー電気泳動システム、あるいはイオン化モジュールで構成されている場合、これらは質量分析計のイオン源に対して効果的に使用されることが絶対的に求められる。その目的は、とりわけ試料を測定／分析し、過度に正確かつ的確に制御された移動条件を測定／分析して、チューブまたはキャピラリーの長さおよびこれに伴い死容積を極めて大幅に縮小することである。これは、有利には、効率を損なうことなく分析を加速させるためであり、常に負荷損を許容範囲内にできることである。さらに、キャピラリー電気泳動システムを使用する場合、チューブおよびキャピラリーの長さ短縮のほか、試料の分析が真に効果的であることを明らかにし、特に一定数の再結合を回避するか少なくとも制限するために、的確な垂直を実現することが不可欠である。最後に、公知で使用されているシステムおよび技術では、例えば液体クロマトグラフィーなどの特定の機器の上部に配置された溶剤との接触を実際に安全にして操作することはできない。実際、テーブルは容易に下降できないため、そのようなシステムの実験者または使用者は踏み台を使用せざるを得なくなるが、これは実用面での安全性とは完全に相反するものである。
【考案の概要】
【考案が解決しようとする課題】
【０００３】
本考案の目的は、簡易なテーブルを使用する先行技術で公知の技術にみられる問題および欠点に対して効果的な解決策を提供するとともに、特に、前記テーブルの垂直移動および位置決めを制御する方法であって、特に容易で正確であり、よって実施するのが真に効果的な方法を利用できるようにすることである。
【課題を解決するための手段】
【０００４】
そのために本考案は、回転式でロック可能な車輪を用いてＸ軸およびＹ軸に沿って可動式であるとともに、Ｚ軸に沿って電動で動いてプログラム可能な昇降テーブルであって、前記テーブルは、質量分析計に連結するようになっている液体クロマトグラフィーシステム、キャピラリー電気泳動システムまたはイオン化モジュールなどの測定分析機器の支持・移動手段として備えられ、前記システムは、重ねられてよく、電子制御された少なくとも１つの入れ子式ジャッキを備える装置によって垂直に移動して前記システムを上昇または下降できるとともに、前記テーブルと並んでいる質量分析計に対して正確かつ再現可能なように前記システムの高さを調整できて試料の分析／測定を実施する、昇降テーブルを提供する。
【０００５】
したがって、本考案による前記システムに接続されたテーブルの特徴要素は、確実かつ本質的に、テーブル移動の極度の正確さおよび的確な再現可能性であり、これによって、このようにして得られた分析性能を著しく向上させる。
【０００６】
実際、テーブルおよびこれに伴い接続されたシステムは、試料の測定／分析を容易かつ効果的にするために、質量分析計に対して最接近して的確に並べられてよい。これによってさらに測定および分析が完全に安定する。これは測定および分析を容易にする効果もあり、その結果、希望すれば生産性を極めて著しく高める効果もある。最後に、テーブルが容易に動くことから、例えば上に既に明記したように、液体クロマトグラフィーなどの特定の機器の上部に溶剤が配置された場合、真に安全な接触が使用者に提供される。
【０００７】
有利には、本考案は、前記システムに接続された前記テーブルを制御して質量分析計に対して垂直移動させて位置決めする方法であって、該方法により、質量分析計のイオン源の中心の高さが測定され、その後、ジャッキが電子的に制御されて、前記システムに備わるチューブ、キャピラリーまたはイオン源の中心の高さが質量分析計のイオン源の中心の高さに完全に一致するようになり、最終的には、様々なシステムに接続されたテーブルは、チューブ、キャピラリーまたはイオン源が質量分析計のイオン源と接触するように質量分析計の方向へ移動する、方法も開示する。
【０００８】
したがって、基本要素はこの場合も、移動の極度の正確さおよび的確な再現可能性であり、イオン源の中心の高さが測定されかつ／または認知されると、前記様々なシステムに接続されたテーブルを垂直に移動させるためにジャッキを正確に制御することで、過度に正確にかつ再現可能に、様々なシステムのうちのいずれか１つのチューブ、キャピラリーまたはイオン源の中心を質量分析計のイオン源の中心と対面させることができる。
【０００９】
上記の利点、および本考案によるテーブルを使用することでみられた利点が真に得られることを確認できるのは、実際に厳密かつ的確に規則的な垂直移動を実現することである。
【００１０】
その他の利点および特徴は、テーブルの好適な構成形態および本考案による方法の好適な実施形態について、非限定的な例として挙げた図面を参照して以下に記載する説明文からさらに明らかになるであろう。
【図面の簡単な説明】
【００１１】
【図１】本考案による下降位置（ａ）および上昇位置（ｂ）にある昇降テーブルの概略図である。
【図２】液体クロマトグラフィーシステムまたはキャピラリー電気泳動システムなどの測定分析機器を質量分析計に接続する前に支持している昇降テーブルの概略図である。
【図３】液体クロマトグラフィーシステムまたはキャピラリー電気泳動システムなどの測定分析機器を質量分析計に接続した後に支持している昇降テーブルの概略図である。
【図４】もう１つの測定分析機器の例であり、ここでは昇降テーブルで支持されているイオン化モジュールを質量分析計に接続した後の図である。
【考案を実施するための形態】
【００１２】
本考案の目的をよりよく理解するため、連続段階の形式で順に並べた３つの図、および使用変形例を示す４つ目の図を用いて本考案を説明していく。
【００１３】
よって、図１は、支持の役割を果たす前で、かつ質量分析計に連結することになっている測定分析システムに接続される前の状態である本考案による昇降テーブル１のみを、第１段階として全体的に示している。図１のａ部分にはテーブルが低位置で示され、ｂ部分にはテーブルが高位置に示されている。
【００１４】
昇降テーブル１は、水平プレート２、電気・電子制御式のジャッキによって垂直に動く可動支柱３、および好ましくは車輪５付きの水平台４で構成される。可動支柱３は、Ｚ軸に沿って、ジャッキを制御する公知の電子装置を用いて正確、厳密、かつ再現可能に高さを調整され、前記支柱の昇降を実現する。車輪５を備えた台４は、Ｘ軸およびＹ軸に沿った水平面に正確に調整させる。正確な高さ調整と水平面の調整を行うと、ロック付きの車輪が不動になり、このようにしてテーブルが昇降式になる。これについては、実用面で有利な図２、図３および図４を説明する際に見ていく。
【００１５】
的確に実用的にするために、本考案による昇降テーブルは、好ましくは以下の機能を備えている必要がある。昇降テーブルはまず、１５０ｋｇから少なくとも６００ｋｇまでに及ぶことがある強い負荷に耐えられる必要がある。したがって、ジャッキは、既に述べたように、負荷のかかったプレート２が昇降する垂直移動を電動で可能にする必要がある。前記ジャッキは、このように負荷のかかったプレートを、正確、厳密、かつ再現可能に電子的に調整することも可能である必要があり、そのために連続する昇降位置は、表示器を介して表示され記憶される。さらに好ましくは、テーブルの制御は、遠隔操作可能なものである。最後に、以下で検討する用途の場合、テーブル１のプレート２、または少なくともプレート２の上部は、溶剤に耐性を持つように備えられた樹脂製の作業面で構成されるか、この作業面で覆われている必要がある。
【００１６】
図２は、第２段階として、本考案に従って測定分析システム６を支持するとともに同システムに接続された昇降テーブルを提示しており、このようなシステム６は、好ましくは液体クロマトグラフィーまたはキャピラリー電気泳動システムであり、質量分析計７と互いに連結するようになっている。システム６が液体クロマトグラフィーである場合、そのシステムは、質量分析計のイオン源９に連結するようになっているチューブ８を有する。したがって、前記液体クロマトグラフィーに接続されたテーブルが上下に移動して、チューブ８が質量分析計７のイオン源９の正面に極めて正確に置かれるように位置決めされた後、チューブ８は、図３に示したようにイオン源９に連結されることができ、これについては以下に説明する。同じく、システム６がキャピラリー電気泳動システムである場合、そのシステムは、質量分析計のイオン源９に連結するようになっているキャピラリーチューブ８を有する。同じように、キャピラリー電気泳動システムに接続されたテーブルが上下に移動して、キャピラリーチューブ８が質量分析計７のイオン源９の正面に極めて正確に置かれるように位置決めされた後、キャピラリーチューブ８は、イオン源９に連結されることができる（図３を参照）。
【００１７】
図３は、今度は第３段階を全体的に示し、この段階は、昇降テーブル１に接続された測定分析システム６を質量分析計７に結合する段階に相当する。そのためには、測定分析システム６に接続された昇降テーブル１を制御して質量分析計７に対して垂直移動させて位置決めすることを実施する方法に従い、質量分析計７のイオン源９の中心の高さが測定され、その後、支柱３のジャッキが電気電子的に制御されて、前記システム６に備わるチューブ８またはキャピラリーチューブ８の中心の高さが質量分析計７のイオン源９の中心の高さに完全に一致するようになり、最終的には、様々なシステム６に接続されたテーブル１は、チューブ８またはキャピラリーチューブ８が質量分析計７のイオン源９と接触するように質量分析計７の方向へ移動する。
【００１８】
したがって、システム６に接続されたテーブル１が質量分析計７に対して極めて正確に移動して位置決めされるため、チューブまたはキャピラリーチューブ８は、有利には可能な限り短く備えられることができ、これにより、高品質の分析性能を得ることができ、これは、先行技術による装置で実施する測定および分析で達成される品質よりも遙かに高いものである。実際、高速液体クロマトグラフィーを使用すると、混合物を化学分析する際に、極めて小サイズのチューブで前記混合物の成分を極めて正確に分割または分離でき、液体の圧力が下がっているにもかかわらず、負荷損が極めて大幅に抑制される。このように、質量分析計で実施された分析では、成分を極めて正確に検出し、識別できる。同じく、キャピラリー電気泳動システムを使用する場合、極めて短いキャピラリーチューブで高品質のイオン種の分離が可能になり、質量分析計で行った分析に有害な再結合の大部分が回避される。
【００１９】
このほか、テーブルが可動式であり、テーブルの移動および位置決めが容易であることにより、スペースの損失がわずかになり、よって有利には死容積が最適になる。
【００２０】
図４は、使用変形例を描いており、この変形例では、液体クロマトグラフィーまたはキャピラリー電気泳動システムのような測定分析システム６は、イオン化モジュール１１に置き換えられ、同モジュールのイオン源１２は、質量分析計７のイオン源９の前に極めて正確に配置されるようになっており、このようにしてイオン移動を最適化する。この変形例では、テーブル１は、好ましくはスライド板１０を備えている。このようにスライド板１０を備えたテーブル１は、Ｘ、ＹおよびＺの３軸に沿って質量分析計７のイオン源９の前にモジュール１１を極度に正確に位置決めすることを可能にするとともに、イオン移動を有利にする。ここでは、イオン化モジュールの２例を非排他的に挙げる。第１の例は、「保磁性」を用いた手法に基づくＰｈｙｔｒｏｎｉｘ  Ｔｅｃｈｎｏｌｏｇｉｅｓ社のＬＴＤＴ（登録商標）イオン源モジュールに関し、この手法では、熱レーザーを放出することによって極めて短時間で試料が質量分析計のイオン源に挿入され、このようにしてイオン移動を最適化する。第２の例は、Ａｄｖｉｏｎ社のモジュールＴｒｉＶｅｒｓａ  ＮａｎｏＭａｔｅに関し、同モジュールは、噴霧によるイオン化技術を用いてイオンを生成し、複合試料を分析する際に、液体クロマトグラフィーのみを用いてより多くの情報を提供できるようにする。
【００２１】
この変形例では、イオン化モジュール１１に接続された昇降テーブル１を制御して質量分析計７に対して垂直移動させて位置決めすることを実施する方法に従い、質量分析計７のイオン源９の中心の高さが測定され、その後、支柱３のジャッキが電気電子的に制御されて、前記イオン化モジュール１１に備わるイオン源１２の中心の高さが質量分析計７のイオン源９の中心の高さに完全に一致するようになり、最終的には、イオン化モジュール１１に接続されたテーブル１は、イオン源１２が質量分析計７のイオン源９と接触するように質量分析計７の方向へ移動する。
【００２２】
当然ながら、本考案の枠組みを逸脱しない限り、当業者が加え得る範囲内の様々な修正が可能である。 
【図１】
0003198085.tif 000003
【図２】
0003198085.tif 000004
【図３】
0003198085.tif 000005
【図４】
0003198085.tif 000006
【手続補正書】
【提出日】平成27年4月8日(2015.4.8)
【手続補正１】
【補正対象書類名】実用新案登録請求の範囲
【補正対象項目名】請求項４
【補正方法】変更
【補正の内容】
【請求項４】
前記質量分析計に対して前記液体クロマトグラフィーシステム、キャピラリー電気泳動システムまたはイオン化モジュールを接続させる前記昇降テーブルは、質量分析計に対する、制御された垂直移動、および正確で再現可能な位置決めを提供可能であり、
まず、前記質量分析計の前記イオン源の中心の高さの測定が実行され、その後、前記ジャッキが電気的および電子的に制御されて、前記システムまたはモジュールに備わるチューブ、キャピラリーまたはイオン源の中心の高さが、前記質量分析計の前記イオン源の中心の高さに完全に一致するようになり、最終的には、前記システムまたはモジュールに接続された前記テーブルは、前記システムまたはモジュールの前記チューブ、前記キャピラリーまたは前記イオン源が前記質量分析計の前記イオン源と緊密に接触するように前記質量分析計の方向へ移動されることを特徴とする請求項１〜３のうちいずれか一項に記載の昇降テーブル。